(57)【要約】【課題】  睡眠時無呼吸症候群の疑いがあることを、簡易な方法により自覚させる。【解決手段】  アラーム機能を有する時刻表示装置１００であって、マイクロフォン１２０と、アラーム設定ボタン１４１と、アラーム停止ボタン１４４と、アラーム設定ボタン１４１により設定が行われたことをトリガーとして、マイクロフォン１２０による音声の検出を開始し、設定時刻に達し、前記アラームが出力されることで、マイクロフォン１２０による音声の検出を終了するよう制御する制御手段と、を備え、前記制御手段は、更に、マイクロフォン１２０により検出された音声に基づいて、ユーザのいびきの周期を算出し、算出した周期に基づいて、いびきの欠損に関する判定を行う判定手段と、アラーム停止ボタン１４４によりアラームの出力が停止されたことを条件に、前記判定手段による判定結果を表示する表示部１３０とを備える。【選択図】  図１
2013192720.tif 000002
【特許請求の範囲】
【請求項１】
設定時刻に達した場合に、アラームを出力する時刻表示装置であって、
音声を検出する音声検出手段と、
ユーザの操作に基づいて、前記アラームの出力を可能にする設定に移行する設定手段と、
前記アラームが出力された場合に、前記ユーザの操作に基づいて、出力を停止する停止手段と、
前記設定手段により設定が行われたことをトリガーとして、前記音声検出手段による前記音声の検出を開始し、前記設定時刻に達し、前記アラームが出力されたことをトリガーとして、前記音声検出手段による前記音声の検出を終了するよう制御する制御手段と、を備え、
前記制御手段は、更に、
前記音声検出手段により検出された前記音声に基づいて、前記ユーザのいびきの周期を算出し、算出した周期に基づいて、いびきの欠損に関する判定を行う判定手段と、
前記停止手段により前記アラームの出力が停止されたことを条件に、前記判定手段による判定結果を表示する表示手段と、
を備えることを特徴とする時刻表示装置。
【請求項２】
前記判定手段は、前記算出した周期に対して、前記ユーザのいびきの時間間隔が、所定倍以上であった場合に、いびきの欠損が発生したと判定することを特徴とする請求項１に記載の時刻表示装置。
【請求項３】
前記判定手段は、前記算出した周期に対して、前記ユーザのいびきの時間間隔が、所定倍以上であった場合であって、かつ、いびきの音圧レベルが所定の閾値以上であった場合に、いびきの欠損が発生したと判定することを特徴とする請求項１に記載の時刻表示装置。
【請求項４】
前記判定手段は、前記設定手段により設定が行われてから、前記アラームが出力されるまでの間に、前記いびきの欠損が発生した回数を算出し、該算出した回数が、所定の閾値以上であった場合に、睡眠時無呼吸症候群であると判定することを特徴とする請求項２または３に記載の時刻表示装置。
【請求項５】
前記制御手段は、更に、
前記ユーザのいびきの出現時刻と、前記いびきの欠損が発生したと判定された場合の欠損時間とを記憶する記憶手段を備えることを特徴とする請求項２乃至４のいずれか１項に記載の時刻表示装置。
【請求項６】
前記制御手段は、更に、
前記欠損時間が所定の時間以上であった場合に、前記設定時刻を現在時刻に変更する変更手段を備えることを特徴とする請求項５に記載の時刻表示装置。
【請求項７】
コンピュータを、請求項１乃至６のいずれか１項に記載の時刻表示装置の各手段として機能させるためのプログラム。
【発明の詳細な説明】
【技術分野】
【０００１】
本発明は、設定時刻にアラーム出力するアラーム出力機能を有する時刻表示装置に関するものである。
【背景技術】
【０００２】
睡眠時無呼吸症候群とは、睡眠時に呼吸停止または低呼吸になる病気であり、治療が遅れると、高血圧や心不全などの合併症を引き起こす危険性がある。このため、早期の治療が望まれている。
【０００３】
一方で、従来より、睡眠時の無呼吸状態を検知するためのシステムとして、種々のシステムが提案されている（例えば、特許文献１、２等参照）。
【先行技術文献】
【特許文献】
【０００４】
【特許文献１】特開２００９−２８４２３号公報
【特許文献２】特開２００９−１８３５６０号公報
【発明の概要】
【発明が解決しようとする課題】
【０００５】
しかしながら、従来のシステムは、病院等において睡眠時無呼吸症候群の疑い（自覚）のある患者に対して行われる検査等において用いられることを前提としており、大掛かりな装置構成を有していた。
【０００６】
一方で、睡眠時無呼吸症候群は、そもそも、本人に自覚症状がなく（または自覚症状が弱く）、発見が遅れてしまう点に問題がある。本人に自覚症状がなければ、病院等において検査を受けることもなければ、専用の検査機器等を購入して、自宅で検査を行うこともないからである。
【０００７】
更に、家族などの同居者がいない場合にあっては、睡眠中の状態が客観的に把握する者もいないため、睡眠時無呼吸症候群を認識することがないまま、症状が進行してしまうといった事態が生じ得る。
【０００８】
このようなことから、睡眠時無呼吸症候群の早期の治療を実現するためには、専用の機器等を用いることなく（つまり、日常生活に影響しないような簡易な方法により）当該病気の疑いがあることを、本人に自覚させることが重要であるといえる。
【０００９】
本発明は上記課題に鑑みてなされたものであり、睡眠時無呼吸症候群の疑いがあることを、簡易な方法により、本人に自覚させることができるようにすることを目的とする。
【課題を解決するための手段】
【００１０】
上記の目的を達成するために、本発明に係る時刻表示装置は以下のような構成を備える。即ち、
設定時刻に達した場合に、アラームを出力する時刻表示装置であって、
音声を検出する音声検出手段と、
ユーザの操作に基づいて、前記アラームの出力を可能にする設定に移行する設定手段と、
前記アラームが出力された場合に、前記ユーザの操作に基づいて、出力を停止する停止手段と、
前記設定手段により設定が行われたことをトリガーとして、前記音声検出手段による前記音声の検出を開始し、前記設定時刻に達し、前記アラームが出力されたことをトリガーとして、前記音声検出手段による前記音声の検出を終了するよう制御する制御手段と、を備え、
前記制御手段は、更に、
前記音声検出手段により検出された音声に基づいて、前記ユーザのいびきの周期を算出し、算出した周期に基づいて、いびきの欠損に関する判定を行う判定手段と、
前記停止手段により前記アラームの出力が停止されたことを条件に、前記判定手段による判定結果を表示する表示手段とを備える。
【発明の効果】
【００１１】
本発明によれば、睡眠時無呼吸症候群の疑いがあることを、簡易な方法により、本人に自覚させることができるようになる。
【図面の簡単な説明】
【００１２】
【図１】本発明の一実施形態にかかる時刻表示装置の外観構成を示す図である。
【図２】時刻表示装置の機能構成を示す図である。
【図３】時刻表示装置におけるアラーム出力処理の流れを示すフローチャートである。
【図４Ａ】時刻表示装置におけるいびき検出処理の流れを示すフローチャートである。
【図４Ｂ】時刻表示装置におけるいびき検出処理の流れを示すフローチャートである。
【図５】時刻表示装置において検出された音声の一例を示す図である。
【図６Ａ】時刻表示装置におけるいびき検出処理の流れを示すフローチャートである。
【図６Ｂ】時刻表示装置におけるいびき検出処理の流れを示すフローチャートである。
【発明を実施するための形態】
【００１３】
以下、本発明の各実施形態について図面を参照しながら説明する。尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１４】
［第１の実施形態］
＜１．時刻表示装置の外観構成＞
図１は、本実施形態に係る時刻表示装置１００の外観構成の一例を示す図である。図１に示すように、時刻表示装置１００は、設定時刻にアラーム出力するアラーム出力機能（いわゆる目覚まし機能）を有する時計である。
【００１５】
時刻表示装置１００のハウジング１１０には、ユーザの睡眠時のいびきを検出するマイクロフォン（音声検出手段）１２０（不図示のローパスフィルタを含む）と、現在時刻及びアラーム出力の設定時刻を表示可能な表示部１３０と、時刻表示装置１００に対して各種設定を行うための操作部１４０と、を備える。
【００１６】
マイクロフォン１２０は、ハウジング１１０正面に取り付けられており、ローパスフィルタを含むことにより、いびきの周波数帯域（１〜４ＫＨｚ）にあわせた感度を有している。
【００１７】
液晶等の表示部１３０は、現在時刻を表示する時刻表示領域１３１と、アラームの設定内容を表示する設定表示領域１３２とを備える。図１の例では、現在時刻が“午後１０時３２分”であり、アラームが“６時３０分”に“設定”された場合を示している。
【００１８】
操作部１４０は、アラームの設定を行うためのアラーム設定ボタン１４１と、アラーム設定ボタン１４１が押圧されアラーム出力に関する設定が可能となった状態で、設定時刻を増減させるためのプラスボタン１４２、マイナスボタン１４３を備える。更に、アラーム出力の設定時刻に達し、アラームが出力された場合に、これを停止させるアラーム停止ボタン１４４と、アラーム設定ボタン１４１により設定されたアラーム出力に関する設定を解除するためのアラーム解除ボタン１４５と、を備える。
【００１９】
上記構成のもと、ユーザが、就寝時にアラーム設定ボタン１４１を押圧すると、設定表示領域１３２に表示された設定時刻が点滅し、設定時刻を変更することが可能となる。かかる状態において、プラスボタン１４２またはマイナスボタン１４３を押下することで、所望の設定時刻に変更することができる。所望の設定時刻に変更された後は、再度、アラーム設定ボタン１４１を押圧することで、設定時刻が確定し、アラームが設定された状態に移行することとなる。アラームが設定されると、設定表示領域１３２には、アラームが設定されたことを示すマーク（鐘のマーク）が表示される。
【００２０】
なお、設定されたアラームは、アラーム解除ボタン１４５を押下することで、解除される。その場合、設定表示領域１３２の鐘のマークも非表示となる。
【００２１】
＜２．時刻表示装置の機能構成＞
次に、時刻表示装置１００の機能構成について説明する。図２は、本実施形態に係る時刻表示装置１００の機能構成を示す図である。なお、図２の各部のうち、既に図１を用いて説明済みの機能については、同一の参照番号を付すこととし、ここでは説明は省略する。
【００２２】
２１０はスピーカであり、制御部（コンピュータ）２００からの指示に基づいてアラームを出力する。２２０は時計部であり、制御部２００に対して、現在時刻に関する情報を出力する。
【００２３】
制御部２００は、ＣＰＵ２２１、ＲＯＭ２２２、ＲＡＭ２２３を備え、ＲＯＭ２２２には、時計部２２０より受信した現在時刻に関する情報を表示部１３０に表示する時刻出力機能２２４を実現するプログラムが格納されている。
【００２４】
また、操作部１４０を介して所望の設定時刻にてアラームを設定するとともに、現在時刻を監視し、現在時刻が設定時刻に達した場合に、スピーカ２１０にアラームを出力するよう指示するアラーム出力機能２２５を実現するプログラムが格納されている。
【００２５】
更に、アラームが設定されてから、解除（またはアラームが出力）されるまでの間、マイクロフォン１２０を介して入力されたユーザのいびき検出を継続し、検出したいびきに基づいて、ユーザの睡眠時無呼吸症候群の可能性について判定するいびき検出機能２２６を実現するプログラムが格納されている。
【００２６】
ＲＯＭ２２２に格納されているこれらの機能を実現する各種プログラムは、ＣＰＵ２２１の制御のもと、ＲＡＭ２２３に読み出され、ＣＰＵ２２１において実行される。なお、以下では、上記機能のうち、本発明の特徴であるアラーム出力機能２２５といびき検出機能２２６について詳説する。
【００２７】
＜３．アラーム出力機能＞
はじめに、アラーム出力機能２２５により実行される、アラーム出力処理について説明する。ステップＳ３０１では、アラーム設定ボタン１４１が押圧されたか否かを判定する。ステップＳ３０１において、アラーム設定ボタン１４１が押圧されていないと判定された場合には、アラーム設定ボタン１４１が押圧されるまで待機する。
【００２８】
ステップＳ３０１においてアラーム設定ボタン１４１が押圧されたと判定された場合には、ステップＳ３０２に進み、設定表示領域１３２に設定時刻（前回の設定時刻）を点滅表示させる。
【００２９】
ステップＳ３０３では、設定時刻変更指示が入力されたか否かを判定し、ステップＳ３０３において設定時刻変更指示が入力されたと判定された場合には、ステップＳ３０４に進む。具体的には、プラスボタン１４２またはマイナスボタン１４３が押下されたか否かを判定し、プラスボタン１４２またはマイナスボタン１４３が押下されたと判定した場合には、ステップＳ３０４に進む。
【００３０】
ステップＳ３０４では、プラスボタン１４２またはマイナスボタン１４３の押下回数に応じて、前回の設定時刻を変更した後、ステップＳ３０５に進む。
【００３１】
一方、ステップＳ３０３において、設定時刻変更指示が入力されなかったと判定された場合には、直接、ステップＳ３０５に進む。
【００３２】
ステップＳ３０５では、アラーム設定ボタン１４１が押圧されたか否かを判定する。ステップＳ３０５において、アラーム設定ボタン１４１が押下されていないと判定された場合には、ステップＳ３０３に戻る。
【００３３】
一方、ステップＳ３０５において、アラーム設定ボタン１４１が押下されたと判定された場合には、ステップＳ３０６に進み、設定表示領域１３２に表示されている設定時刻にてアラームを設定する。
【００３４】
ステップＳ３０６において、アラームの設定が完了すると、ステップＳ３０７では、いびき検出処理を起動するよう指示する。なお、いびき検出処理の詳細は後述する。
【００３５】
ステップＳ３０８では、アラームの設定解除指示が入力されたか否かを判定する。具体的には、アラーム解除ボタン１４５が押下されたか否かを判定し、アラーム解除ボタン１４５が押下されたと判定された場合には、ステップＳ３１４に進む。
【００３６】
ステップＳ３１４では、ステップＳ３０７において起動を指示したいびき検出処理の終了を指示する。
【００３７】
一方、ステップＳ３０８において、アラーム解除ボタン１４５が押下されていないと判定された場合には、ステップＳ３０９に進み、現在時刻が、ステップＳ３０６において設定された設定時刻に達したか否かを判定する。ステップＳ３０９において設定時刻に達していないと判定された場合には、ステップＳ３０８に戻る。
【００３８】
一方、ステップＳ３０９において、設定時刻に達したと判定された場合には、ステップＳ３１０に進み、スピーカ２１０を介してアラームを出力するとともに、ステップＳ３０７において起動を指示したいびき検出処理の終了を指示する。
【００３９】
更に、ステップＳ３１１では、出力されたアラームを停止するための指示が、ユーザにより入力されたか否かを判定する。具体的には、アラーム停止ボタン１４４が押下されたか否かを判定する。
【００４０】
ステップＳ３１１において、アラーム停止ボタン１４４が押下されていないと判定した場合には、アラーム停止ボタン１４４が押下されるまで、アラームの出力を継続する。一方、ステップＳ３１１において、アラーム停止ボタン１４４が押下されたと判定した場合には、ステップＳ３１２に進み、出力中のアラームを停止させる。
【００４１】
ステップＳ３１２において、アラームが停止すると、ユーザが、目を覚ましたと判断し、ステップＳ３１３では、いびき検出処理における判定結果の内容を表示部１３０に表示するよう指示し、アラーム出力処理を終了する。
【００４２】
このように、本実施形態に係る時刻表示装置１００では、ユーザによるアラームの設定操作をトリガーとして、いびき検出処理を起動させ、アラームの設定解除操作またはアラーム出力をトリガーとして、いびき検出処理を終了させる構成としている。
【００４３】
つまり、ユーザによる目覚まし設定操作（日常生活において行われる操作）に応じていびき検出処理が動作されるため、ユーザによる、睡眠時無呼吸症候群を検査するための特別な準備・操作等が不要になるという利点がある。
【００４４】
＜４．いびき検出機能＞
次に、いびき検出機能２２６により実行される、いびき検出処理について図４Ａ及び図４Ｂを用いて説明する。上述したように、アラーム出力機能２２５からいびき検出処理の起動指示を受信すると、いびき検出機能２２６ではいびき検出処理を開始する。
【００４５】
ステップＳ４０１では、いびきが検出されたか否かを判定する。ステップＳ４０１において、いびきが検出されていないと判定された場合には、ステップＳ４１１に進み、アラーム出力機能２２５によりいびき検出処理の終了指示が送信されたか否かを判定する。
【００４６】
ステップＳ４１１において、いびき検出処理の終了指示が送信されていないと判定された場合には、ステップＳ４０１に戻る。一方、ステップＳ４１１において、いびき検出処理の終了指示が送信されたと判定された場合には、ステップＳ４１２に進み、マイクロフォン１２０によるいびきの検出を終了する。
【００４７】
更に、ステップＳ４１３では、アラームが設定されてから、設定時刻においてアラームが出力されるまでの間、いびきが検出されなかったとして、睡眠時無呼吸症候群の疑いがないと判定する。
【００４８】
更に、ステップＳ４１４では、アラーム停止ボタン１４４が押下されることで、アラーム出力機能２２５より、判定結果表示指示が送信されたか否かを判定する。ステップＳ４１４において、判定結果表示指示が送信されていないと判定された場合には、送信されるまで待機する。
【００４９】
一方、ステップＳ４１４において、判定結果表示指示が送信されたと判定された場合には、ステップＳ４１５に進み、表示部１３０にステップＳ４１３における判定結果を表示した後、いびき検出処理を終了する。
【００５０】
一方、ステップＳ４０１において、いびきが検出されたと判定された場合には、ステップＳ４０２に進み、現在時刻をいびき出現時刻としてＲＡＭ２２３に記憶する。
【００５１】
更に、ステップＳ４０３では、所定回数のいびきが検出されたか否かを判定する。具体的には、所定時間以内に、ＲＡＭ２２３に、閾値以上（所定個数以上）のいびき出現時刻が記憶されたか否かを判定する。
【００５２】
ステップＳ４０３において、所定回数のいびきが検出されなかったと判定された場合には、ステップＳ４１１に進む。一方、ステップＳ４０３において、所定回数のいびきが検出されたと判定された場合には、ステップＳ４０４に進み、検出された所定回数のいびきに基づいて、いびきの周期を算出する。
【００５３】
ステップＳ４０４において、いびきの周期が算出された後は、更に、ステップＳ４０５に進み、マイクロフォン１２０によるいびきの検出を継続する。ステップＳ４０５において、次のいびきが検出されたと判定された場合には、ステップＳ４０６に進み、前回のいびきが検出されてから今回のいびきが検出されるまでの時間間隔が、ステップＳ４０４において算出された周期−α（αは所定の定数）以下であるか否かを判定する。
【００５４】
ステップＳ４０６において、時間間隔が周期−α以下であると判定された場合には、いびきとして検出した音声が、いびき以外の雑音である可能性があるため、現在時刻をＲＡＭ２２３に記憶することなく、図４ＢのステップＳ４２１に進む。
【００５５】
一方、ステップＳ４０６において、周期−α以下でないと判定された場合には、ステップＳ４０７に進み、前回のいびきが検出されてから今回のいびきが検出されるまでの時間間隔が、ステップＳ４０４において算出された周期の所定倍（例えば、４倍）以上であるか否かを判定する。
【００５６】
ステップＳ４０７において、周期の４倍以上でないと判定された場合には、ステップＳ４１０に進み、現在時刻を今回のいびき出現時刻として、ＲＡＭ２２３に記憶する。
【００５７】
一方、ステップＳ４０７において、周期の４倍以上であると判定された場合には、ステップＳ４０８に進み、いびきの欠損が発生したと判定する。更に、ステップＳ４０９では、いびきの欠損時間（呼吸が停止している時間）を算出し、ステップＳ４１０では、現在時刻を今回のいびき出現時刻として、ＲＡＭ２２３に記憶する。
【００５８】
このように、本実施形態に係るいびき検出処理では、はじめに、ユーザのいびきの周期を算出し、当該周期を基準に、いびきの時間間隔が極端に短いものは、雑音として処理し、時間間隔が極端に長い場合には、無呼吸状態が継続したと判断する。
【００５９】
図４Ｂでは、ステップＳ４２１において、アラーム出力機能２２５より、いびき検出処理の終了指示が送信されか否かを判定し、ステップＳ４２１において、送信されていないと判定された場合には、図４ＡのステップＳ４０５に戻る。
【００６０】
一方、ステップＳ４２１において、送信されたと判定された場合には、ステップＳ４２２に進み、マイクロフォン１２０によるいびきの検出を終了する。
【００６１】
更に、ステップＳ４２３では、今回のいびき検出処理実行中に判定されたいびきの欠損回数を算出し、ステップＳ４２４では、算出された欠損回数が所定の閾値以上（例えば、１０回以上）であるか否かを判定する。
【００６２】
ステップＳ４２４において、１０回以上であると判定された場合には、ステップＳ４２５に進み、睡眠時無呼吸症候群の疑いがあると判定する。一方、ステップＳ４２４において、１０回以上でないと判定された場合には、ステップＳ４２６に進み、睡眠時無呼吸症候群の疑いがないと判定する。
【００６３】
ステップＳ４２７では、アラーム出力機能２２５より、判定結果表示指示が送信されたか否かを判定する。ステップＳ４２７において、判定結果表示指示が送信されていないと判定された場合には、送信されるまで待機する。
【００６４】
一方、ステップＳ４２７において、判定結果表示指示が送信されたと判定された場合には、ステップＳ４２８に進み、ステップＳ４２５またはステップＳ４２６における判定結果を表示部１３０に表示し、いびき検出処理を終了する。
【００６５】
＜５．実施例＞
次に、いびき検出機能２２６によるいびき検出処理の実施例について図５を用いて説明する。図５（ａ）〜（ｄ）は、ユーザの睡眠時に、マイクロフォン１２０（ローパスフィルタを含む）により検出された１〜４ＫＨｚの周波数帯域の種々の音声例を示す図であり、横軸は時間を、縦軸は音圧レベルをそれぞれ示している。
【００６６】
図５（ａ）に示すように、アラームが設定されるといびき検出処理が起動し、マイクロフォン１２０（ローパスフィルタを含む）によるいびきの検出が開始される。所定時間後に、所定の閾値の音圧レベル（例えば、４５ｄＢ）を超える音声が検出されることで、いびきが検出されたと判定される（ステップＳ４０１でＹｅｓ）。更に、検出されたいびきが所定周期（例えば、呼吸の周期または呼吸の周期の１／２倍の周期）で、所定回数繰り返されると、ステップＳ４０４において、いびきの周期が算出される。
【００６７】
いびきの周期が算出された後に、一定時間、いびきが検出されず、その後、再びいびきが検出された場合には、当該時間間隔を算出し、算出した時間間隔が周期の所定倍（いびきの周期が呼吸の周期と等しい場合には４倍、いびきの周期が呼吸の周期の１／２倍と等しい場合には、８倍）以上あるか否かを判定する。図５（ａ）の例では、算出した時間間隔が周期の４倍以上あるため、いびきの欠損が発生したと判定する（ステップＳ４０５→Ｓ４０６→Ｓ４０７→Ｓ４０８→Ｓ４０９→Ｓ４１０）。その後、現在時刻が設定時刻に達し、アラームが出力されるまでの間、いびきの検出を継続する。なお、図５（ａ）中の白三角マークは、いびき出現時刻がＲＡＭ２２３に記憶されたことを示している（ステップＳ４０５→Ｓ４０７→Ｓ４１０）。なお、アラームが出力されるまでの間に、同様のいびきの欠損が１０回以上判定された場合には、睡眠時無呼吸症候群の疑いがあるとして、アラーム停止後に、表示部１３０に、その旨が表示される（ステップＳ４２２→Ｓ４２３→Ｓ４２４→Ｓ４２５→Ｓ４２７→Ｓ４２８）。
【００６８】
一方、図５（ｂ）に示すように、いびきの周期が算出されたが、その後、いびきが止み、アラームが出力されるまでの間に、いびきが検出されなかった場合には、睡眠時無呼吸症候群の疑いがない（いわゆる「単純いびき症」）として、アラーム停止後に、表示部１３０に、その旨が表示される（ステップＳ４０１→Ｓ４０２→Ｓ４０３→Ｓ４０４→Ｓ４０５→Ｓ４２１→Ｓ４２２→Ｓ４２３→Ｓ４２４→Ｓ４２６→Ｓ４２７→Ｓ４２８）。
【００６９】
一方、図５（ｃ）に示すように、いびきの周期が算出された後に、一定時間、いびきが検出されず、その後、再びいびきが検出された場合には、上記図５（ａ）と同様に、当該時間間隔を算出し、算出した時間間隔が周期の４倍以上あるか否かを判定する。図５（ｃ）の例では、算出した時間間隔が周期の４倍以上ないため、いびきの出現時刻を記憶する（ステップＳ４０５→Ｓ４０６→Ｓ４０７→Ｓ４１０）。その後、現在時刻が設定時刻に達し、アラームが出力されるまでの間、いびきの検出を継続する。なお、図５（ｃ）の黒三角マークは、算出した時間間隔が周期−α以下であったため、現在時刻がＲＡＭ２２３に記憶されなかったことを示している（ステップＳ４０５→Ｓ４０６→Ｓ４２１）。なお、アラームが出力されるまでの間に、いびきの欠損が全く発生しなかったか、発生したとしても、発生回数が所定回数（例えば、１０回）以上でないと判定された場合には、睡眠時無呼吸症候群の疑いがない（いわゆる「単純いびき症」）として、アラーム停止後に、表示部１３０に、その旨が表示される（ステップＳ４２２→Ｓ４２３→Ｓ４２４→Ｓ４２６→Ｓ４２７→Ｓ４２８）。
【００７０】
一方、図５（ｄ）に示すように、アラームが設定され、いびき検出処理が起動されることで、マイクロフォン１２０によるいびきの検出が開始されたが、所定の音圧レベルを超える音声が不定期に検出された場合には（所定時間内に所定回数のいびきが検出されず、周期が算出されなかった場合には）、睡眠時無呼吸症候群の疑いがない（いわゆる「単純いびき症」）として、アラーム停止後に、表示部１３０に、その旨が表示される（ステップＳ４０１→Ｓ４０２→Ｓ４０３→Ｓ４１１→Ｓ４１２→Ｓ４１３→Ｓ４１４→Ｓ４１５）。
【００７１】
以上の説明から明らかなように、本実施形態に係る時刻表示装置では、マイクロフォン（ローパスフィルタを含む）を配し、アラーム設定をトリガーとして、ユーザのいびきを検出する構成とした。また、検出したいびきに基づいて、いびきの周期を算出し、睡眠時無呼吸症候群の判定基準として用いる構成とした。更に、アラーム出力をトリガーとして、マイクロフォンによるいびきの検出を終了させ、アラーム停止ボタンが押圧されたことを条件に、ユーザが目覚めたと判断し、睡眠時無呼吸症候群の判定結果を表示する構成とした。
【００７２】
この結果、日常生活に影響しないような簡易な方法により（目覚ましの設定を行うだけで）、睡眠時無呼吸症候群の疑いがあることを検知し、ユーザに、自覚させることが可能となった。
【００７３】
［第２の実施形態］
上記第１の実施形態では、前回のいびきを検出してから今回のいびきが検出されるまでの時間間隔を、算出された周期と対比することで、いびきの欠損の有無を判定する構成としたが、本発明はこれに限定されない。
【００７４】
一般に、いびきの欠損が生じた後に、いびきが再開される場合、いびきの音圧レベルが上がる。このため、前回のいびきを検出してから今回のいびきが検出されるまでの時間間隔と、算出された周期との対比に加え、今回のいびきの音圧レベルを考慮し、所定の音圧レベル以上になっていた場合に、欠損と判定する構成としてもよい。
【００７５】
また、上記第１の実施形態では、就寝前に設定した設定時刻に達し、アラームが出力されることで、マイクロフォンによるいびきの検出を終了させる構成としたが、本発明はこれに限定されない。例えば、いびきの欠損が激しく、無呼吸状態が長く続くことで、生命に危険を及ぼす可能性が生じた場合、あるいは、いびきの欠損回数が多く、生命に危険を及ぼす可能性が生じた場合には、緊急でアラームを出力するように構成してもよい。以下、本実施形態の時刻表示装置について図６Ａ及び図６Ｂを用いて説明する。なお、図６Ａ及び図６Ｂにおいて、図４及び図４Ｂと同様の処理については、同一の参照番号を付すこととして、説明は省略し、ここでは相違点を中心に説明する。
【００７６】
図６ＡのステップＳ４０７において、周期の所定倍（例えば、４倍）以上であると判定された場合には、ステップＳ６０１に進み、周期算出時に検出されたいびきの音圧レベルに対して、今回検出されたいびきの音圧レベルが、所定倍（β倍）以上であるか否かを判定する。ステップＳ６０１において、所定倍以上でないと判定された場合には、いびきの欠損が発生したとは判定せず、ステップＳ４１０に進む。
【００７７】
一方、ステップＳ６０１において、所定倍以上であると判定された場合には、ステップＳ４０８に進み、いびきの欠損が発生したと判定する。
【００７８】
このように、前回のいびきを検出してから今回のいびきが検出されるまでの時間間隔と、算出された周期との対比のみならず、今回検出されたいびきの音圧レベルが、周期算出時に検出されたいびきの音圧レベルに対して、所定倍以上あるか否かの判定も行ったうえで、いびきの欠損が発生したか否かを判定する構成とすることで、より確実にいびきの欠損を判定することが可能となる。
【００７９】
更に、図６ＢのステップＳ６２１では、判定された欠損回数が所定回数に到達したか否かを判定する。更に、算出された欠損時間が、所定時間以上であるか否かを判定する。
【００８０】
ステップＳ６２１において、判定された欠損回数が所定回数に到達したと判定された場合、あるいは、算出された欠損時間が、所定時間以上であると判定された場合には、ステップＳ６２２に進む。
【００８１】
ステップＳ６２２では、アラーム出力機能２２５において設定されている設定時刻を、強制的に現在時刻に変更するよう指示する。更に、ステップＳ６２３では、現在のユーザの睡眠状態が、生命に危険を及ぼす状態にあると判定し、ステップＳ６２４に進む。
【００８２】
なお、ステップＳ６２２において設定時刻が強制的に変更されることで、アラーム出力機能２２５では、ステップＳ３０９において、設定時刻に達したと判定するため、ステップＳ３１０においてアラームを出力するとともに、いびき検出機能２２６に対して、いびき検出処理終了指示を送信する。
【００８３】
このため、ステップＳ６２４では、アラーム出力機能２２５よりいびき検出処理終了の指示が送信されるまで待機し、いびき検出処理終了の指示が送信されると、ステップＳ６２５に進み、マイクロフォン１２０によるいびきの検出を終了する。
【００８４】
更に、アラーム出力機能２２５において、アラーム停止指示が入力されることで、判定結果表示指示が送信されると（図３のステップＳ３１１〜Ｓ３１３）、いびき検出機能２２６では、これを受信し（ステップＳ４２７）、ステップＳ４２８に進む。
【００８５】
ステップＳ４２８では、ステップＳ６２３において判定された判定結果を表示部１３０に表示する。
【００８６】
このように、ユーザの睡眠中に、生命に危険を及ぼす可能性が生じた場合には、アラーム出力機能を用いて、強制的にアラームを出力させ、ユーザを目覚めさせる構成とすることで、ユーザの生命の危険を回避することが可能となる。
【００８７】
［第３の実施形態］
上記第１及び第２の実施形態では、音圧レベルの閾値を固定として説明したが、本発明はこれに限定されず、操作部１４０に設定ボタン（例えば、４０ｄＢ〜５０ｄＢの範囲で音圧レベルの閾値を設定可能なボタン）を設け、ユーザが適宜変更できるように構成してもよい。
【符号の説明】
【００８８】
１００：時刻表示装置、１１０：ハウジング、１２０：マイクロフォン、１３０：表示部、１３１：時刻表示領域、１３２：設定表示領域、１４０：操作部、１４１：アラーム設定ボタン、１４２：プラスボタン、１４３：マイナスボタン、１４４：アラーム停止ボタン、１４５：アラーム解除ボタン
【図１】
2013192720.tif 000003
【図２】
2013192720.tif 000004
【図３】
2013192720.tif 000005
【図４Ａ】
2013192720.tif 000006
【図４Ｂ】
2013192720.tif 000007
【図５】
2013192720.tif 000008
【図６Ａ】
2013192720.tif 000009
【図６Ｂ】
2013192720.tif 000010